(57)【要約】【課題】受診者に与える負担を軽減することができる受診者確認装置及び受診カード作成装置を提供する。【解決手段】被検体Ｐの顔に赤外線を照射して第１及び第２の画像データを生成する第１及び第２の撮像部１１，２１と、第１及び第２の画像データを処理して３次元データを生成し、生成した３次元データを数値化して被検体Ｐの顔を識別するための第１及び第２の顔データを生成する第１及び第２の画像処理部１２，２２と、第１の画像処理部１２で生成された第１の顔データを保存する受診カード３０とを備え、被検体Ｐが所持する受診カード３０に保存された第１の顔データと第２の画像処理部２２で生成される第２の顔データを照合して、その第１の顔データに対応する被検体Ｐの顔と受診カード３０を所持する被検体Ｐの顔が一致しているか否かを判定する。【選択図】図１
2011095948.tif 000002
【特許請求の範囲】
【請求項１】
顔を識別する数値化された顔データが保存された受診カードを所持した撮影エリアに位置する被検体の顔に光を照射して画像データを生成する撮像手段と、
前記撮像手段により生成された画像データを処理して３次元データを生成し、生成した３次元データを数値化して前記受診カードを所持する被検体の顔を識別するための顔データを生成する画像処理手段と、
前記受診カードに保存された顔データと前記画像処理手段により生成された顔データを照合して、前記受診カードに保存された顔データに対応する顔と前記受診カードを所持する被検体の顔が一致しているか否かを判定する判定手段とを
備えたことを特徴とする受診者確認装置。
【請求項２】
前記受診カードに保存された顔データは、２次元コード化されたデータであり
前記２次元コードを読み出す読み出し手段、及びこの読み出し手段に読み出された２次元コードを元の顔データに戻すデコード手段を有し、
前記判定手段は、前記デコード手段により元に戻された顔データと前記画像処理手段により生成された顔データを照合するようにしたことを特徴とする請求項１に記載の受診者確認装置。
【請求項３】
前記受診カードには、この受診カードに保存された顔データにより識別される被検体の個人情報が保存され、
前記判定手段は、前記受診カードを所持した被検体がその受診カードに保存される個人情報を有する所有者である場合に前記受診カードに保存された顔データと前記画像処理手段により生成された顔データを照合するようにしたことを特徴とする請求項１又は請求項２のいずれかに記載の受診者確認装置。
【請求項４】
前記撮像手段は、所定の診療科に設けられた前記撮像エリアを有する受付に設置され、
前記判定手段は、前記受診カードに保存された顔データに対応する顔と前記受診カードを所持する被検体の顔が一致している場合に前記受付における受付を受理する情報を出力手段に出力し、前記受診カードに保存された顔データに対応する顔と前記受診カードを所持する被検体の顔が不一致である場合に前記受付における受付を拒否する情報を前記出力手段に出力するようにしたことを特徴とする請求項１乃至請求項３のいずれかに記載の受診者確認装置。
【請求項５】
前記撮像手段は、所定のパターンの赤外線を前記撮像エリアに位置する被検体の顔に照射する光照射手段及びこの光照射手段により前記被検体の顔面に投影された前記所定のパターンの赤外線を検出して画像データを生成する光検出手段を有し、
前記画像処理手段は、前記光検出手段により生成された画像データを構成している前記被検体の顔の形状に基づく起伏に応じて歪んだ前記所定のパターンのデータを再構築して３次元データを生成し、生成した３次元データを数値化して顔データを生成するようにしたことを特徴とする請求項１乃至請求項４のいずれかに記載の受診者確認装置。
【請求項６】
撮像エリアに位置する被検体の顔に光を照射して画像データを生成する撮像手段と、
前記撮像手段により生成された画像データを処理して３次元データを生成し、生成した３次元データを数値化して前記被検体の顔を識別するための顔データを生成する画像処理手段と、
前記画像処理手段により生成された顔データを保存する受診カードとを
備えたことを特徴とする受診カード作成装置。
【請求項７】
前記画像処理手段により生成された顔データを２次元コードに変換する変換手段、及びこの変換手段により変換された２次元コードを印字する印字手段を有し、
前記受診カードに保存された顔データは、前記印字手段により印字された２次元コードで表されるデータであることを特徴とする請求項６に記載の受診カード作成装置。
【請求項８】
前記撮像手段により撮像される被検体の個人情報を前記受診カードに書き込み保存する書き込み手段、及びこの書き込み手段により前記受診カードに保存された個人情報を読み出す読出し手段を有することを特徴とする請求項６又は請求項７に記載の受診カード作成装置。
【発明の詳細な説明】
【技術分野】
【０００１】
本発明は、医療施設において診療を行う受診者の確認を行う受診者確認装置及び受診カード作成装置に関する。
【背景技術】
【０００２】
病院や診療所等の医療施設では、総合受付に提出される健康保険証により初めて訪れた受診者を確認し、確認した受診者を識別する氏名、生年月日、受診者ＩＤ等の個人情報が記された例えば受診カードを発行して受付を行う。また、総合受付係に提出される受診カードにより再診のため訪れた受診者の受付を行う。
【０００３】
総合受付の後、医師による診察を行う内科、産婦人科、画像診断装置（Ｘ線診断装置、Ｘ線ＣＴ装置、ＭＲＩ装置、超音波診断装置等）や放射線治療装置により画像診断や放射線治療を行う画像診断及び放射線治療科、点滴などの投薬による治療を行う治療科等の各診療科の受付に提出される受診カードにより受付を行う。そして、受診カードに記された氏名を医師や看護師等が称呼して受診者を確認する。また、総合受付で確認した個人情報と称呼した後の診察券に記された生年月日等の照会により受診者を確認する。
【０００４】
しかしながら、氏名の称呼による確認や、氏名や生年月日の照会による確認では、同姓同名や同生年月日により、受診者を誤認してしまう恐れがあるため、受診カードに受診者の顔写真を貼り付けて、称呼した受診者の顔を顔写真と見比べて照合することにより、受診者を確認する。
【０００５】
また、最近では、受診者の指紋像をＩＣカードに保存し、その指紋像を保存したＩＣカードを所持する受診者の指紋を読み取り、読み取った指紋の像をそのＩＣカードに保存された指紋像と照合することにより、受診者を確認する方法が知られている（例えば、特許文献１参照。）。
【先行技術文献】
【特許文献】
【０００６】
【特許文献１】特開２００２−２９８１１９号公報
【発明の概要】
【発明が解決しようとする課題】
【０００７】
しかしながら、受診者の顔を顔写真と見比べる顔照合では、顔相似により誤認してしまう問題や、顔写真と見比べることにより受診者に心理的な負担を与えてしまう問題がある。また、受診カードを紛失した場合、顔などの個人情報が漏洩してしまう問題がある。更に、指紋照合では、汗をかいている状態や荒れている状態の指から指紋を読み取ろうとすると、読み取り精度が低下するため、読み取りを複数回行う必要が生じ、受診者に負担をかけてしまう問題がある。
【０００８】
本発明は、上記問題点を解決するためになされたもので、受診者に与える負担を軽減することができる受診者確認装置及び受診カード作成装置を提供することを目的とする。
【課題を解決するための手段】
【０００９】
上記問題を解決するために、請求項１に係る本発明の受診者確認装置は、顔を識別する数値化された顔データが保存された受診カードを所持した撮影エリアに位置する被検体の顔に光を照射して画像データを生成する撮像手段と、前記撮像手段により生成された画像データを処理して３次元データを生成し、生成した３次元データを数値化して前記受診カードを所持する被検体の顔を識別するための顔データを生成する画像処理手段と、前記受診カードに保存された顔データと前記画像処理手段により生成された顔データを照合して、前記受診カードに保存された顔データに対応する顔と前記受診カードを所持する被検体の顔が一致しているか否かを判定する判定手段とを備えたことを特徴とする。
【００１０】
また、請求項６に係る本発明の受診カード作成装置は、撮像エリアに位置する被検体の顔に光を照射して画像データを生成する撮像手段と、前記撮像手段により生成された画像データを処理して３次元データを生成し、生成した３次元データを数値化して前記被検体の顔を識別するための顔データを生成する画像処理手段と、前記画像処理手段により生成された顔データを保存する受診カードとを備えたことを特徴とする。
【発明の効果】
【００１１】
本発明によれば、受診者の顔を撮像して、高い精度で識別可能な受診者の形状に基づくデジタルデータを生成して受診カードに保存し、受診カードに保存されたデジタルデータとその受診カードを所持する受信者の撮像により得られるデジタルデータを照合することにより、受診者の確認を行うことができる。これにより、受診者に与える負担を軽減することができる。また、受診カードを紛失したときの顔の情報の漏洩を防ぐことができる。
【図面の簡単な説明】
【００１２】
【図１】本発明の実施例に係る受診者確認支援システムの構成を示すブロック図。
【図２】本発明の実施例に係る第１の撮像部の構成を示す図。
【図３】本発明の実施例に係る受診カード作成装置で作成された受診カードの構成の一例を示す図。
【図４】本発明の実施例に係る第１の受診者確認装置の構成を示す図。
【図５】本発明の実施例に係る受診カード作成装置の動作を示すフローチャート。
【図６】本発明の実施例に係る第１の受診者確認装置の動作を示すフローチャート。
【発明を実施するための形態】
【００１３】
以下、本発明の実施例を、図面を参照して説明する。
【実施例】
【００１４】
図１は、本発明の実施例に係る受診者確認支援システムの構成を示した図である。この受診者確認支援システム１００は、受診のために病院や診療所等の医療施設の総合受付（第１の受付）に初めて訪れ、受診者となる被検体Ｐの顔を撮像して受診カード３０を作成する受診カード作成装置１０を備えている。
【００１５】
また、受診者確認支援システム１００は、各診療科に設けられた第２の受付で、被検体Ｐが所持する受診カード作成装置１０により作成された受診カード３０を用いて、その診療科の受診者であるか否かの確認を行う受診者確認装置２０と、受診カード作成装置１０と受信者確認装置２０の間で情報の送受信を行うためのネットワーク４０とを備えている。
【００１６】
受診カード作成装置１０は、医療施設の第１の受付に設置され、第１の受付の第１撮像エリアに位置する被検体Ｐの顔に光を照射して２次元の第１の画像データを生成する第１の撮像部１１と、この第１の撮像部１１で生成された第１の画像データを処理して３次元データを生成し、生成した３次元データをデジタルデータである被検体Ｐの顔を識別するための第１の顔データを生成する第１の画像処理部１２とを備えている。
【００１７】
また、受診カード作成装置１０は、第１の画像処理部１２で生成された第１の顔データを受診カード３０に保存するための保存手段である第１の顔データを２次元コードに変換する変換部１３及びこの変換部１３で２次元コード化された第１の顔データを印字する印字部１４と、被検体Ｐを識別する顔以外の情報である例えば氏名、生年月日、住所、受診者ＩＤ等の個人情報や、被検体Ｐの診察、画像診断、及び治療等を行う各診療科の情報等の入力を行う操作部１５とを備えている。
【００１８】
更に、受診カード作成装置１０は、操作部１５から入力された被検体Ｐの個人情報を受診カード３０に書き込むライタ１６と、このライタ１６により書き込まれた個人情報を受診カード３０から読み出すリーダ１７と、ネットワーク４０を介して受診者確認装置２０と情報の送受信を行うインターフェース１８と、上記ユニットを制御する制御部１９とを備えている。
【００１９】
図２は、第１の撮像部１１の構成を示した図である。この第１の撮像部１１は、第１の受付に訪れた第１撮像エリアに位置する被検体Ｐから例えば０．６〜１．３ｍ離間して配置され、目に見えない例えば格子状パターンの赤外線を第１撮像エリアの被検体Ｐの顔に照射する第１の光照射部１１１を備えている。また、第１の光照射部１１１から照射され、被検体Ｐの顔面に投影された格子状パターンの赤外線を検出して、例えば毎秒３０フレームの第１の画像データを生成する高速撮像が可能な赤外線カメラ等を有する第１の光検出部１１２を備えている。そして、生成した第１の画像データを第１の画像処理部１２に出力する。
【００２０】
このように、赤外線を用いることにより、第１の受付の可視光の明るさに影響されることなく第１の画像データを生成することができる。また、高速撮像のため、被検体Ｐを完全に静止させる必要がない。これにより、被検体Ｐに心理的な負担を与えることなく撮像することができる。
【００２１】
第１の画像処理部１２は、第１の撮像部１１から出力された第１の画像データを処理して３次元データを生成し、生成した３次元データを数値化して被検体Ｐの顔を識別する第１の顔データを生成する。そして、生成した第１の顔データを変換部１３に出力する。
【００２２】
ここで、第１の光照射部１１１から照射された格子状パターンの赤外線は被検体Ｐの顔面に投影される。このため、第１の光検出部１１２で生成される第１の画像データを構成する格子状パターンのデータは、被検体Ｐの顔の形状に基づく起伏に応じて歪んでいる。この歪んだパターンを再構築して３次元データを生成し、生成した３次元データをデジタルデータである例えば４万ポイントから成る１００分の１ミリ単位の数値で表されるテンプレートに変換する。次いで、変換したテンプレートを所定のアルゴリズムにより例えば５１２バイトに軽量化して、第１の顔データを生成する。この３Ｄ顔認証法により、例えば他人受入れ率１００万分の１の精度で顔を識別することができる。
【００２３】
このように、第１の画像データの歪んだパターンを再構築して３次元データを生成するため、被検体Ｐを正面又は正面から左右に例えば３０°横を向いた範囲までの方向から撮像することが可能となり、被検体Ｐに意識させることなく撮像することができる。これにより、被検体Ｐに心理的な負担を与えることなく撮像することができる。
【００２４】
また、被検体Ｐの顔の形状に基づく起伏に応じて第１の顔データを生成することにより、指紋認証のように被検体Ｐの顔の汗や肌荒れ等の表面状態の影響を受けることがないため、被検体Ｐにかかる負担を軽減することができる。また、高い精度で顔の識別が可能なデータを得ることができる。
【００２５】
図１に示した変換部１３は、第１の画像処理部１２から出力された第１の顔データを例えばＱＲコード等の２次元コードに変換し、変換した２次元コードを印字部１４に出力する。また、印字部１４は、プリンタを備え、変換部１３から出力された２次元コードを受診カード３０に印字する。
【００２６】
このように、第１の顔データを汎用性に優れた２次元コードに変換して取り扱うことができる。
【００２７】
操作部１５は、キーボード、マウスなどの入力デバイスを備え、第１の撮像部１１における被検体Ｐの撮像や、印字部１４で２次元コードの印字を行わせるための入力を行う。また、第１の撮像部１１で撮像される被検体Ｐの個人情報の入力を行う。更に、第１の受付に訪れた被検体Ｐの診察、画像診断、及び治療を行う各診療科の情報等の入力を行う。
【００２８】
ライタ１６は、書込み位置に設定された受診カード３０に操作部１５から入力された被検体Ｐの個人情報を書き込み保存する。
【００２９】
リーダ１７は、読出し位置に設定された受診カード３０に保存される個人情報を読み出し、読み出した個人情報を制御部１９に出力する。ここでは、第１の受付に訪れた被検体Ｐの再診の受付けを受理するために受診カード３０から読出しが行われる。
【００３０】
インターフェース１８は、ネットワーク４０を介して受診者確認装置２０から送信される、第２の受付に移動した被検体Ｐがその受付の受診者であるか否かを問い合わせるための受診者問合せ情報を受信して制御部１９に出力する。また、受診者問合せ情報の受信に応じて、制御部１９から出力される受診者返答情報を、ネットワーク４０を介して受診者確認装置２０に返信する。
【００３１】
制御部１９は、ＣＰＵと記憶回路を備え、操作部１５から入力された入力情報に基づいて、第１の撮像部１１、第１の画像処理部１２、変換部１３、印字部１４、ライタ１６、リーダ１７、及びインターフェース１８の各ユニットの制御や装置全体の制御を行う。
【００３２】
また、操作部１５から入力された個人情報及び診療科情報や、リーダ１７から出力された個人情報と共に操作部１５から入力された診療科情報を含む情報を受診者受付情報として保存して、第１の受付における受付を受理する。
【００３３】
更に、保存した受診者受付情報に基づいて、インターフェース１８から出力された受診者問合せ情報に含まれる個人情報を有する被検体Ｐが第１の受付で受理された受診者であるか否かを判定する。
【００３４】
そして、保存した受診者受付情報の中に受診者問合せ情報に含まれる個人情報を有する受診者受付情報が存在する場合、第１の受付で受理された受診者であると判定し、その受診者受付情報に含まれる診療科情報を受診者返答情報としてインターフェース１８に出力する。
【００３５】
また、保存した受診者受付情報の中に、受診者問合せ情報に含まれる個人情報を有する受診者受付情報が存在しない場合、第１の受付で未受理の受診者であると判定し、受付を拒否する情報を受診者返答情報としてインターフェース１８に出力する。
【００３６】
図３は、受診カード作成装置１０で作成された受診カード３０の構成の一例を示した図である。この受診カード３０は、カード本体３１、このカード本体３１に設けられた例えば磁気ストリップ等のメモリを有する記憶エリア３２、及びカード本体３１に設けられた印字エリア３３により構成される。
【００３７】
記憶エリア３２には、受診カード作成装置１０のライタ１６により書き込まれた被検体Ｐの個人情報が保存されている。また、印字エリア３３には、記憶エリア３２に保存された個人情報で識別される被検体Ｐの顔を識別する第１の顔データが、受診カード作成装置１０の印字部１４により２次元コードとして印字保存されている。
【００３８】
そして、受診カード３０は、このカードの所有者となる記憶エリア３２に保存された個人情報を有し、且つ印字エリア３３に保存された第１の顔データに対応する顔を有する被検体Ｐに対して第１の受付で発行される。また、再診で訪れた被検体Ｐから第１の受付に提出される。
【００３９】
このように、デジタルデータである第１の顔データを受診カード３０に保存することにより、受診カード３０を紛失した場合でもそのカードの所有者の顔の情報の漏洩を防ぐことができる。
【００４０】
なお、受診カード３０を、例えば受診票用紙やカードに２次元コード化した個人情報及び第１の顔データを印字したものに置き換えて実施するようにしてもよい。また、個人情報を記憶する例えばＩＣチップを設けたＩＣカードに２次元コード化した第１の顔データを印字したものに置き換えて実施するようにしてもよい。
【００４１】
また、受診カード３０を、個人情報及び第１の顔データを記憶する例えばＩＣチップや磁気ストリップ等のメモリを設けたカードに置き換えて実施するようにしてもよい。
【００４２】
更に、第１の顔データに有効期限を設け、その有効期限の情報を２次元コードに変換して受診カード３０に印字するように実施してもよい。これにより、第１の顔データの更新時期が明確になり、被検体Ｐの顔が長期間に亘って変形する場合の認証精度の低下を防ぐことができる。
【００４３】
図１に示した受診者確認装置２０は、ｎ台の第１乃至第ｎの受診者確認装置２０１乃至２０ｎにより構成される。そして、受診カード作成装置１０で作成され、第１の受付で発行された受診カード３０を所持する被検体Ｐが移動する内科、産婦人科、画像診断装置（Ｘ線診断装置、Ｘ線ＣＴ装置、ＭＲＩ装置、超音波診断装置等）や放射線治療装置により画像診断や放射線治療を行う画像診断及び放射線治療科、点滴などの投薬による治療を行う治療科等の各第１乃至第ｎの診療科に設けられた第２の受付（第２１乃至第２ｎの受付）に設置される。
【００４４】
図４は、第１の受診者確認装置２０１の構成を示した図である。この第１の受診者確認装置２０１は、例えば第１の診療科に設けられた第２１の受付に設置され、第２１の受付の第２１撮像エリアに位置する被検体Ｐの顔に光を照射して２次元の第２の画像データを生成する第２の撮像部２１と、この第２の撮像部２１で生成された第２の画像データを処理して３次元データを生成し、生成した３次元データを数値化して被検体Ｐの顔を識別するための第２の顔データを生成する第２の画像処理部２２とを備えている。
【００４５】
また、第１の受診者確認装置２０１は、第２１の受付に提出された受診カード３０に保存される個人情報や２次元コードを読み出すリーダ２３と、リーダ２３により読み出された２次元コードを元の第１の顔データに戻すデコード部２４と、デコード部２４により戻された第１の顔データと第２の画像処理部２２で生成された第２の顔データの照合により判定を行う判定部２５とを備えている。
【００４６】
更に、第１の受診者確認装置２０１は、判定部２５の判定結果を出力する出力手段である表示部２６と、第２１の受付に提出された受診カード３０から個人情報や２次元コードを読み出させるための入力等を行う操作部２７と、リーダ２３により読み出された個人情報を含む受診者問合せ情報を、ネットワーク４０を介して受診カード作成装置１０に送信するインターフェース２８と、上記ユニットを制御する制御部２９とを備えている。
【００４７】
第２の撮像部２１は、図２に示した第１の撮像部１１と同様に構成される第２の光照射部及び第２の光検出部を備え、第２１撮像エリアに位置する被検体Ｐから例えば０．６〜１．３ｍ離間して配置され、被検体Ｐの顔を撮像して２次元の第２の画像データを生成し、生成した第２の画像データを第２の画像処理部２２に出力する。
【００４８】
このように、赤外線を用いることにより、第２１の受付の可視光の明るさに影響されることなく第２の画像データを生成することができる。また、高速撮像のため、被検体Ｐを完全に静止させる必要がない。これにより、被検体Ｐに心理的な負担を与えることなく撮像することができる。
【００４９】
第２の画像処理部２２は、第１の画像処理部１２と同様に構成され、第２の撮像部２１から出力された第２の画像データを処理してデジタルデータである数値化した第２の顔データを生成し、生成した第２の顔データを判定部２５に出力する。
【００５０】
このように、被検体Ｐの顔の形状に基づく起伏に応じて第２の顔データを生成することにより、指紋認証のように被検体Ｐの顔の汗や肌荒れ等の表面状態の影響を受けることがないため、被検体Ｐにかかる負担を軽減することができる。また、高い精度で顔の識別が可能なデータを得ることができる。
【００５１】
リーダ２３は、読出し位置に設定された受診カード３０の印字エリア３３に保存された２次元コードを読み出すリーダ及びその受診カード３０の記憶エリア３２に保存された個人情報を読み出すリーダを備えている。そして、読み出した個人情報を制御部２９に出力し、読み出した２次元コードをデコード部２４に出力する。ここでは、第２１の受付に移動した被検体Ｐが第１の診療科の受診者であるか否かの確認を行うために受診カード３０から読出しが行われる。
【００５２】
デコード部２４は、リーダ２３から出力された２次元コードを元の第１の顔データに戻して判定部２５に出力する。
【００５３】
判定部２５は、リーダ２３から読み出された個人情報に応じて、制御部２９から供給されるその個人情報を有する被検体Ｐが第１の診療科の受診者である場合の判定結果に基づいて、デコード部２４から出力される第１の顔データと第２の画像処理部２２から出力される第２の顔データとを照合する。そして、第１の顔データに対応する顔と第２の画像処理部２２から出力される第２の顔データに対応する顔が一致しているか否かを判定する。この判定結果から第２１撮像エリアの受診カード３０を所持する被検体Ｐがそのカードの所有者であるか否かを判断する。そして、その判断の結果を表示部２６に出力する。
【００５４】
表示部２６は、液晶パネルやＣＲＴを備え、判定部２５から出力された判断の結果を表示する。なお、スピーカを備えた音声部を設け、判定部２５から出力された判断の結果を音声出力するように実施してもよい。
【００５５】
操作部２７は、キーボード、マウスなどの入力デバイスを備え、第２１の受付に提出された受診カード３０に保存される個人情報を読み出させるための入力等を行う。
【００５６】
インターフェース２８は、リーダ２３から出力された個人情報に応じて制御部２９から出力される受診者問合せ情報を、ネットワーク４０を介して受診カード作成装置１０に送信する。また、受診者問合せ情報の送信に応じて、ネットワーク４０を介して受診カード作成装置１０から返信される受診者返答情報を制御部２９に出力する。
【００５７】
制御部２９は、ＣＰＵと記憶回路を備え、操作部２７から入力された入力情報に基づいて、第２の撮像部２１、第２の画像処理部２２、リーダ２３、デコード部２４、判定部２５、表示部２６、及びインターフェース２８の各ユニットの制御や装置全体の制御を行う。また、リーダ２３から出力される個人情報を含む情報を受診者問合せ情報としてインターフェース２８に出力する。更に、受診者問合わせ情報の出力に応じて、インターフェース２８から出力される受診者返答情報に基づいて、リーダ２３から出力された個人情報を有する被検体Ｐが第１の診療科の受診者であるか否かを判定する。
【００５８】
そして、受診者返答情報に診療科情報が含まれている場合、その診療科情報に基づいて判定する。ここで、受診者返答情報に含まれる診療科情報が第１の診療科である場合、リーダ２３から出力された個人情報を有する被検体Ｐが第１の診療科の受診者であると判定する。また、受診者返答情報に含まれる診療科情報が第１の診療科以外の診療科である場合、リーダ２３から出力された個人情報を有する被検体Ｐが第１の診療科以外の受診者であると判定する。
【００５９】
また、受診者返答情報に受付拒否情報が含まれている場合、リーダ２３から出力された個人情報を有する被検体Ｐが例えば当日の受信者でないと判定して受付を拒否し、その受付拒否情報を表示部２６に出力する。
【００６０】
なお、各第２乃至第ｎの受診者確認装置２０２乃至２０ｎは、第１の受診者確認装置２０１と設置される受付が異なる以外は同様に構成されるので、その説明を省略する。
【００６１】
以下、図１乃至図６を参照して、受診者確認支援システム１００の動作の一例を説明する。図５は、受診カード作成装置１０の動作を示すフローチャートである。また、図６は、第１の受診者確認装置２０１の動作を示すフローチャートである。
【００６２】
先ず、受診カード作成装置１０の動作について説明する。  
図５において、第１の受付に訪れた被検体Ｐにより例えば診療申込書と健康保険証が提出される。そして、操作部１５から被検体Ｐの個人情報及び診療科の情報を入力する操作が行われると、受診カード作成装置１０は動作を開始する（ステップＳ１）。
【００６３】
制御部１９は、第１の撮像部１１、第１の画像処理部１２、変換部１３、印字部１４、及びライタ１６に受診カード３０の作成を指示すると共に、操作部１５から入力された個人情報及び診療科情報を受診者受付情報として内部に保存する。ライタ１６は、読出し位置に設定された受診カード３０の記憶エリア３２に操作部１５から入力された個人情報を書き込み保存する（ステップＳ２）。
【００６４】
次いで、操作部１５から撮像操作が行われると、第１の撮像部１１の第１の光照射部１１１は、第１撮像エリアに位置する被検体Ｐの顔に格子状パターンの赤外線を照射する。第１の光検出部１１２は、第１の光照射部１１１から照射され、格子状パターンの赤外線が投影された被検体Ｐの顔面を撮像して第１の画像データを生成し、生成した第１の画像データを第１の画像処理部１２に出力する（ステップＳ３）。
【００６５】
第１の画像処理部１２は、第１の光検出部１１２から出力された第１の画像データを処理して第１の顔データを生成し、生成した第１の顔データを変換部１３に出力する（ステップＳ４）。
【００６６】
変換部１３は、第１の画像処理部１２から出力された第１の顔データを２次元コードに変換し、変換した２次元コードを印字部１４に出力する（ステップＳ５）。
【００６７】
印字部１４は、変換部１３から出力された２次元コードを受診カード３０の印字エリア３３に印字する（ステップＳ６）。
【００６８】
受診カード３０に個人情報及び２次元コード化された第１の顔データが保存された後、制御部１９が第１の撮像部１１、第１の画像処理部１２、変換部１３、印字部１４、及びライタ１６に受診カード３０の作成の終了を指示することにより、受診カード作成装置１０は動作を終了する（ステップＳ７）。
【００６９】
受診カード作成装置１０により作成され、第１の受付で発行された受診カード３０を受け取った被検体Ｐは、例えば第１の診療科に移動する。
【００７０】
次に、第１の受診者確認装置２０１の動作について説明する。  
図６は、第１の受診者確認装置２０１の動作をしたフローチャートである。第１の診療科の第２１の受付へ移動した被検体Ｐは、第２１撮像エリアで所持していた受診カード３０を第２１の受付に提出する。そして、リーダ２３の読出し位置に受診カード３０が設定された後、操作部２７から受診者問合わせの操作が行われると、第１の受診者確認装置２０１は動作を開始する（ステップＳ１１）。
【００７１】
制御部２９は、第２の撮像部２１、第２の画像処理部２２、リーダ２３、デコード部２４、判定部２５、表示部２６、及びインターフェース２８に受診者の確認を指示する。リーダ２３は、読出し位置に設定された受診カード３０に保存される個人情報を読み出し、読み出した個人情報を制御部２９に出力する（ステップＳ１２）。
【００７２】
制御部２９は、リーダ２３から出力された個人情報を含む情報を受診者問合せ情報としてインターフェース２８に出力する。インターフェース２８は、制御部２９から出力された受診者問合せ情報を、ネットワーク４０を介して受診カード作成装置１０に送信する。この送信に応じて、ネットワーク４０を介して受診カード作成装置１０から返信される受診者返答情報を制御部２９に出力する。
【００７３】
制御部２９は、インターフェース２８から出力された受診者返答情報に基づいて、リーダ２３から出力された個人情報を有する被検体Ｐが第１の診療科の受診者であるか否かを判定する。
【００７４】
そして、受診者返答情報に診療科情報が含まれている場合（ステップＳ１３のはい）、ステップＳ１４へ移行する。また、受診者返答情報に受付拒否の情報が含まれている場合（ステップＳ１３のいいえ）、ステップＳ１５へ移行する。
【００７５】
ステップＳ１３の「はい」の後に、受診者返答情報に含まれる診療科情報が第１の診療科である場合（ステップＳ１４のはい）、リーダ２３から出力された個人情報を有する被検体Ｐは第１の診療科の受診者であると判定し、ステップＳ１６へ移行する。また、受診者返答情報に含まれる診療科情報が第１の診療科以外の診療科である場合（ステップＳ１４のいいえ）、リーダ２３から出力された個人情報を有する被検体Ｐは第１の診療科以外の受診者であると判定し、ステップＳ１５へ移行する。
【００７６】
このように、受診者問合わせの操作を行うだけの簡単な操作で、リーダ２３の読出し位置に設定された受診カード３０の所有者が第１の診療科の受診者であるか否かを判定することができる。
【００７７】
ステップＳ１４の「はい」の後に、第２の撮像部２１は、第２１撮像エリアに位置する被検体Ｐを撮像して第２の画像データを生成し、生成した第２の画像データを第２の画像処理部２２に出力する（ステップＳ１６）。
【００７８】
第２の画像処理部２２は、第２の撮像部２１から出力された第２の画像データを処理して第２の顔データを生成し、生成した第２の顔データを判定部２５に出力する（ステップＳ１７）。
【００７９】
リーダ２３は、読出し位置の受診カード３０に保存される２次元コードを読み出し、読み出した２次元コードをデコード部２４に出力する（ステップＳ１８）。
【００８０】
デコード部２４は、リーダ２３から出力された２次元コードを元の第１の顔データに戻し、元に戻した第１の顔データを判定部２５に出力する（ステップＳ１９）。
【００８１】
判定部２５は、デコード部２４から出力された第１の顔データと第２の画像処理部２２から出力された第２の顔データを照合して、第１の顔データに対応する顔と第２の画像処理部２２から出力された第２の顔データに対応する顔が一致しているか否かを判定する。
【００８２】
そして、第１の顔データと第２の顔データの差が予め設定された許容範囲内である場合（ステップＳ２０のはい）、第１の顔データに対応する顔と第２の顔データに対応する顔が一致していると判定し、第２１撮像エリアの被検体Ｐがリーダ２３の読出し位置に設定された受診カード３０の所有者であると判断する。そして、表示部２６にその判断結果としての受付受理の情報を表示する（ステップＳ２１）。
【００８３】
また、第１の顔データと第２の顔データの差が許容範囲から外れている場合（ステップＳ２０のいいえ）、第１の顔データに対応する顔と第２の顔データに対応する顔が不一致であると判定し、第２１撮像エリアの被検体Ｐがリーダ２３の読出し位置に設定された受診カード３０の非所有者であると判断し、ステップＳ１５へ移行する。
【００８４】
このように、第２１撮像エリアの被検体Ｐが所持する受診カード３０の所有者が第１の診療科の受診者である場合、その被検体Ｐを撮像して第２の顔データを生成し、生成した第２の顔データを受診カード３０に保存された第１の顔データと照合することにより、第２１撮像エリアの被検体Ｐが所持する受診カード３０の所有者であるか否かを判断することができる。
【００８５】
ステップＳ２１の後に、受付受理された第２１撮像エリアの被検体Ｐは、第１の診療科内に移動する。そして、第１の診療科で、被検体Ｐの診察、画像診断を行うための撮影、放射線治療、又は投薬治療等が行われる。
【００８６】
このように、第２１の受付へ移動した被検体Ｐを称呼しないで、受診者の確認を行うことができる。このため、被検体Ｐの氏名等の個人情報の漏洩を防ぐことができる。
【００８７】
ステップＳ１３の「いいえ」、ステップＳ１４の「いいえ」、又はステップＳ２０の「いいえ」の後に、判定部２５は、表示部２６に例えば「第２１撮像エリアの受診者の受付を拒否します」等の受付拒否の情報を表示する（ステップＳ１５）。
【００８８】
このように、第２１撮像エリアの被検体Ｐが所持する受診カード３０の所有者である場合、受付受理の情報を表示部２６に表示することができる。また、第２１撮像エリアの被検体Ｐが所持する受診カード３０の非所有者である場合、受付拒否の情報を表示部２６に表示することができる。
【００８９】
受付拒否された第２１撮像エリアの被検体Ｐには、第１の受付で受付が受理されていない、又は第１の診療科以外の診療科であることが伝えられる。そして、伝えられた被検体Ｐは、第２１の受付から立ち去り、第１の受付又は第１の診療科以外の診療科の受付へ移動する。
【００９０】
ステップＳ１５又はステップＳ２１の後、制御部２９が第２の撮像部２１、第２の画像処理部２２、リーダ２３、デコード部２４、判定部２５、表示部２６、及びインターフェース２８に受診者の確認の停止を指示することにより、第１の受診者確認装置２０１は動作を終了する（ステップＳ２２）。
【００９１】
以上述べた本発明の実施例によれば、被検体Ｐの顔を第１及び第２の撮像部１１，２１で撮像することにより、被検体Ｐに意識させることなく撮像することができる。これにより、被検体Ｐに心理的な負担を与えることなく撮像することができる。
【００９２】
また、被検体Ｐの顔の形状に基づく起伏に応じて第１及び第２の顔データを生成することにより、指紋認証のように被検体Ｐの顔の汗や肌荒れ等の表面状態の影響を受けることがないため、被検体Ｐにかかる負担を軽減することができる。
【００９３】
更に、被検体Ｐの顔の形状に基づく起伏に応じて第１の顔データを生成することにより、高い精度で顔の識別が可能なデータを得ることができる。また、指紋認証のように被検体Ｐの顔の汗や肌荒れ等の表面状態の影響を受けることがないため、被検体Ｐにかかる負担を軽減することができる。
【００９４】
更にまた、生成した第１の顔データを受診カード３０に保存することにより、受診カード３０を紛失した場合でも被検体Ｐの顔の情報の漏洩を防ぐことができる。
【００９５】
そして、受診者問合わせの操作を行うだけの簡単な操作で、第２１撮像エリアの被検体Ｐが所持する受診カード３０の所有者が第１の診療科の受診者であるか否かを判定することができる。次いで、第２１撮像エリアの被検体Ｐが所持する受診カード３０の所有者が第１の診療科の受診者である場合、その被検体Ｐを撮像して第２の顔データを生成し、生成した第２の顔データを受診カード３０に保存された第１の顔データと照合して、第２１撮像エリアの被検体Ｐがその受診カード３０の所有者であるか否かを判断することができる。そして、第２１撮像エリアの被検体Ｐが所持する受診カード３０の所有者である場合、受付受理の情報を表示部２６に表示することができる。また、第２１撮像エリアの被検体Ｐが所持する受診カード３０の非所有者である場合、受付拒否の情報を表示部２６に表示することができる。これにより、第２１の受付へ移動した被検体Ｐを称呼しないで受診者の確認を行うことができるため、被検体Ｐの氏名等の個人情報の漏洩を防ぐことができる。また、受診者の顔を見比べることなく確認することができるため、受診者にかかる負担を軽減することができる。
【符号の説明】
【００９６】
Ｐ  被検体
１０  受診カード作成装置
１１  第１の撮像部
１２  第１の画像処理部
１３  変換部
１４  印字部
１５，２７  操作部
１６  ライタ
１７，２３  リーダ
１８，２８  インターフェース
１９，２９  制御部
２０  受診者確認装置
２１  第２の撮像部
２２  第２の画像処理部
２４  デコード部
２５  判定部
２６  表示部
３０  受診カード
２０１  第１の受診者確認装置
【図１】
2011095948.tif 000003
【図２】
2011095948.tif 000004
【図３】
2011095948.tif 000005
【図４】
2011095948.tif 000006
【図５】
2011095948.tif 000007
【図６】
2011095948.tif 000008